(57)【要約】【課題】各光ファイバケーブルの脱着頻度の多少に対応して、脱着頻度の少ない光ファイバケーブルを誤脱抜するといった不具合を防止する。【解決手段】複数の光アダプタ４を上下左右に整列して配置した光アダプタパネル５と、光アダプタパネルを前端側に配置したケース３と、ケースの底部から光アダプタパネルの前方に突出した棚板６と、棚板の上側で光アダプタに接続される複数の光ファイバコード９とを備える光スプライスユニット１で、棚板６の上側にカバー２を配設し、カバーの下側の光アダプタ４1に脱着頻度の少ない又は無い光ファイバコード９1を接続し、カバーの上側の光アダプタ４に脱着頻度の多い光ファイバコード９を接続し、棚板とカバーとの間に光ファイバコード９1を、カバーの上側に光ファイバコード９を配線した。カバー２の後部側に櫛歯部１６を形成し、左右の各光アダプタの間に櫛歯部を進入係合させた。【選択図】図１
2010091695.tif 000002
【特許請求の範囲】
【請求項１】
複数の光アダプタを上下左右に整列して配置した光アダプタパネルと、該光アダプタパネルを前端側に配置したケースと、該ケースの底部から該光アダプタパネルの前方に突出した棚板と、該棚板の上側で該光アダプタに接続される複数の光ファイバコードとを備える光スプライスユニットにおいて、
前記棚板の上側にカバーが配設され、該カバーの下側の前記光アダプタに脱着頻度の少ない又は無い光ファイバコードが接続され、該カバーの上側の前記光アダプタに脱着頻度の多い光ファイバコードが接続され、該棚板と該カバーとの間に脱着頻度の少ない又は無い光ファイバコードが配線され、該カバーの上側に脱着頻度の多い光ファイバコードが配線されたことを特徴とする光スプライスユニット。
【請求項２】
前記カバーの後部側に櫛歯部が形成され、前記左右に整列した各光アダプタの間に該櫛歯部が進入係合したことを特徴とする請求項１記載の光スプライスユニット。
【請求項３】
前記カバーが、前端の上下の突板部と前記櫛歯部の後端の下向きの足部とを有して、前記棚板の前端の立ち上げ部の後方に収容支持されたことを特徴とする請求項２記載の光スプライスユニット。
【請求項４】
前記カバーが、前端の上下の突板部と前記櫛歯部の後端の下向きの足部とを有し、下向きの該突板部が前記棚板の前端の立ち上げ部の前面に固定され、該固定を解除して該カバーが前方にスライド式に離脱されることを特徴とする請求項２記載の光スプライスユニット。
【請求項５】
前記棚板の左端側及び／又は右端側にクランプが立設され、該クランプに前記脱着頻度の少ない又は無い光ファイバコードと脱着頻度の多い光ファイバコードとが共通で挿通集束されることを特徴とする請求項１〜４の何れかに記載の光スプライスユニット。
【請求項６】
前記クランプの近傍で前記カバーに切欠部が設けられ、前記脱着頻度の多い光ファイバコードが該切欠部から該クランプの底部側にかけて緩い傾斜角で配線されることを特徴とする請求項５記載の光スプライスユニット。
【発明の詳細な説明】
【技術分野】
【０００１】
本発明は、複数本の光ファイバケーブルを各光アダプタを介して複数段に配置接続する光スプライスユニットに関するものである。
【背景技術】
【０００２】
図７は、従来の光スプライスユニットの一形態を示すものである。
【０００３】
光スプライスユニット３１は、光パッチパネルとも呼称され、前面の光アダプタパネル５に複数の光アダプタ４を上下左右に整列して配設し、各光アダプタ４を介して内外の複数本の光ファイバコード（図示せず）を相互に光コネクタ接続させるものである。例えば、オフィスの各パソコン等に接続されるユーザー側の光ファイバコードをディーラ側の光ファイバコードに光コネクタ接続させる使用例が挙げられる。「スプライス」とは「繋ぐ」等の意味である。
【０００４】
本例の光スプライスユニット３１は、光アダプタパネル５の前側においてケース３の底板のほぼ延長上に、各光ファイバコードを左右方向に余長をもって屈曲させて整線するための長方形状の棚板６を有し、棚板６の左右両端側に、各光ファイバコードを一まとめに挿通させる案内用のクランプ８を有している。
【０００５】
上記以外の光スプライスユニットとしては、例えば特許文献１に、棚板の左右両側にクランプ８に代えて光ファイバコード結束用のバンドを設けたものが記載されている（図示せず）。また、特許文献２には、光アダプタパネルを含む部分をケースからスライド式に引き出し可能としたものが記載されている（図示せず）。
【０００６】
また、特許文献３には、複数の光アダプタをケースの前面パネルに着脱自在に設け、光アダプタの前後の開口内に内外の各光ファイバコードの各光コネクタを嵌合させて、各光コネクタのフェルールを相互に接続させることが記載され（図示せず）、特許文献４には、光アダプタ内に設けた筒状のスリーブで内外の各光コネクタのフェルールを相互に接続させることが記載されている（図示せず）。
【特許文献１】特開２００４−３６１８９３号公報（図１）
【特許文献２】特開２００１−１７４６６３号公報（図１）
【特許文献３】特開２００８−１８０８１９号公報（図１，図４）
【特許文献４】特開２００３−２１５３９９号公報（図４）
【発明の開示】
【発明が解決しようとする課題】
【０００７】
上記従来の光スプライスユニット３１にあっては、例えば、インタネットのような任意加入サービスとテレビのような全加入サービス用の光ファイバケーブルの光コネクタを光スプライスユニットに集約する場合、全加入サービス用の光ファイバコードは原則的に脱着せず、一方、任意加入サービスでは、サービスの切換え、契約及びその解除に伴う光ファイバコードの脱着が発生する。
【０００８】
このように、光スプライスユニット３１には様々な用途の光ファイバコードが接続されるため、図７の光スプライスユニット３１にあっては、光ファイバコードの整線を目的としたクランプ８や棚板６を設けているが、これらクランプ８や棚板６は光ファイバコードの識別や特定の光ファイバコードの保護を目的としておらず、光ファイバコードの脱着頻度に関係なく棚板の上でクランプ８によりまとめて束ねられてしまう。このような状況では、光ファイバコードの識別が難しくなるだけでなく、光ファイバコードの脱着作用において抜いてはいけない光ファイバコードを誤って抜いてしまったりして、脱着不要な光ファイバコード及び光接続状態への悪影響が懸念された。
【０００９】
本発明は、上記した点に鑑み、各光ファイバケーブルの脱着頻度の多少に対応して、脱着頻度の少ない（脱着不要なものも含む）光ファイバケーブルを誤脱抜するといった不具合を防止することのできる光スプライスユニットを提供することを目的とする。
【課題を解決するための手段】
【００１０】
上記目的を達成するために、本発明の請求項１に係る光スプライスユニットは、複数の光アダプタを上下左右に整列して配置した光アダプタパネルと、該光アダプタパネルを前端側に配置したケースと、該ケースの底部から該光アダプタパネルの前方に突出した棚板と、該棚板の上側で該光アダプタに接続される複数の光ファイバコードとを備える光スプライスユニットにおいて、前記棚板の上側にカバーが配設され、該カバーの下側の前記光アダプタに脱着頻度の少ない又は無い光ファイバコードが接続され、該カバーの上側の前記光アダプタに脱着頻度の多い光ファイバコードが接続され、該棚板と該カバーとの間に脱着頻度の少ない又は無い光ファイバコードが配線され、該カバーの上側に脱着頻度の多い光ファイバコードが配線されたことを特徴とする。
【００１１】
上記構成により、脱着頻度の多い光ファイバコードと脱着頻度の少ない（脱着の全く不要のものも含む）光ファイバコードがカバーを介して分離され、脱着頻度の少ない光ファイバコードがカバーで覆われて外部と遮断・保護されることで、カバー上側の脱着頻度の多い光ファイバコードの脱着作業時に、カバー下側の脱着頻度の少ない光ファイバコードの誤脱抜等を起こす心配が回避される。
【００１２】
請求項２に係る光スプライスユニットは、請求項１記載の光スプライスユニットにおいて、前記カバーの後部側に櫛歯部が形成され、前記左右に整列した各光アダプタの間に該櫛歯部が進入係合したことを特徴とする。
【００１３】
上記構成により、カバーの櫛歯部が各アダプタ間に係合して、カバーの左右方向の位置決めが行われ、カバーの左右方向のガタ付きが防止され、カバーの固定強度が高められる。また、カバーの櫛歯部が各アダプタ間に進入することで、カバーの上下の空間が大きな隙間なく確実に区画分離され、カバー下側の脱着頻度の少ない光ファイバコードの保護性が向上する。
【００１４】
請求項３に係る光スプライスユニットは、請求項２記載の光スプライスユニットにおいて、前記カバーが、前端の上下の突板部と前記櫛歯部の後端の下向きの足部とを有して、前記棚板の前端の立ち上げ部の後方に収容支持されたことを特徴とする。
【００１５】
上記構成により、カバーの下向きの突板部が棚板の前端の立ち上げ部の内面（後面）に当接し、下向きの突板部の下端と櫛歯部の下向きの足部の下端とが棚板の上面に当接し、且つ櫛歯部が左右方向の各光アダプタの間に係合して、カバーが固定手段なしで棚板側に安定に保持される。カバーの上向きの突板部は上側の脱着頻度の多い光ファイバコードのガイドとして作用する。
【００１６】
請求項４に係る光スプライスユニットは、請求項２記載の光スプライスユニットにおいて、前記カバーが、前端の上下の突板部と前記櫛歯部の後端の下向きの足部とを有し、下向きの該突板部が前記棚板の前端の立ち上げ部の前面に固定され、該固定を解除して該カバーが前方にスライド式に離脱されることを特徴とする。
【００１７】
上記構成により、カバーの下向きの突板部が棚板の前端の立ち上げ部の前面に当接してねじ締めや係止クリップ等の固定手段で固定され、カバーが棚板に外れなく強固に固定される。また、カバーの固定を解除して棚板に沿って水平に前方にスライドさせることで、カバーが上側の脱着頻度の多い光ファイバコードに邪魔されることなく容易に離脱される。
【００１８】
請求項５に係る光スプライスユニットは、請求項１〜４の何れかに記載の光スプライスユニットにおいて、前記棚板の左端側及び／又は右端側にクランプが立設され、該クランプに前記脱着頻度の少ない又は無い光ファイバコードと脱着頻度の多い光ファイバコードとが共通で挿通集束されることを特徴とする。
【００１９】
上記構成により、カバー下側の脱着頻度の少ない光ファイバコードが棚板に沿ってクランプに水平に配線され、カバー上側の脱着頻度の多い光ファイバコードがカバー上面からクランプに水平ないし斜め下向きに配線され、両光ファイバコードが一緒にクランプ内に保持される。クランプは例えば一対の垂直杆部を有する既存のものである。
【００２０】
請求項６に係る光スプライスユニットは、請求項５記載の光スプライスユニットにおいて、前記クランプの近傍で前記カバーに切欠部が設けられ、前記脱着頻度の多い光ファイバコードが該切欠部から該クランプの底部側にかけて緩い傾斜角で配線されることを特徴とする。
【００２１】
上記構成により、切欠部によってカバーの側端からクランプまでの水平距離が長くなり、カバー上側の脱着頻度の多い光ファイバコードがカバーの側端からクランプにかけて大きな半径で滑らかに屈曲しつつ配線され、光ファイバコードの過大な曲げに起因する光通信精度の悪化が防止される。
【発明の効果】
【００２２】
請求項１記載の発明によれば、脱着頻度の多少に応じて各光ファイバコードがカバーで分離されたことで、脱着頻度の多い光ファイバコードの脱着作業時に脱着頻度の少ない光ファイバコードを誤脱抜したり、脱着頻度の少ない光ファイバコードの光コネクタ等を外部と干渉させて傷付けたりする等の心配が解消され、光ファイバコードの脱着作業が安全に作業性良く効率的に行われる。
【００２３】
請求項２記載の発明によれば、カバーの櫛歯部でカバーの左右方向の位置ずれを防ぐことができると共に、櫛歯部でカバーの上下の空間を確実に区画分離して、カバー下側の脱着頻度の少ない光ファイバコードの保護性を高めることができる。
【００２４】
請求項３記載の発明によれば、カバーを固定手段なしで棚板側に安定良く保持させることができ、これにより、棚板側へのカバーの組付作業性や棚板側からのカバーの取り外し作業性が向上し、下側の脱着頻度の少ない光ファイバコードのメンテナンス性が向上する。また、カバーの上向きの突板部で上側の脱着頻度の多い光ファイバコードを前方への飛び出しなく左右方向に案内することができる。
【００２５】
請求項４記載の発明によれば、カバーを棚板に強固に固定することができ、またカバーの固定を解除してカバーをスライド式に前方に引くことで、上側の脱着頻度の多い光ファイバコードに邪魔されることなく、カバーを容易に取り外すことができ、下側の脱着頻度の少ない光ファイバコードのメンテナンス性が向上する。また、カバーの上向きの突板部で上側の脱着頻度の多い光ファイバコードを前方への飛び出しなく左右方向に案内することができる。
【００２６】
請求項５記載の発明によれば、カバー上側の脱着頻度の多い光ファイバコードとカバー下側の脱着頻度の少ない光ファイバコードとを共通のクランプで省スペースに集束させることができる。
【００２７】
請求項６記載の発明によれば、カバー上側の脱着頻度の多い光ファイバコードの折れ曲がり等を防止することができ、光通信の精度を良好に確保することができる。
【発明を実施するための最良の形態】
【００２８】
図１〜図３は、本発明に係る光スプライスユニットの一実施形態を示すものである。
【００２９】
図１の如く、この光スプライスユニット１は、金属製のケース３の前面に、複数の光アダプタ４を上下左右に整列して配置した光アダプタパネル５を垂直に設け、光アダプタパネル５から前方に、光ファイバコード整線用の金属製の棚板６をケース３の底板７のほぼ延長上に水平に設け、棚板６の左右両端側に光ファイバコード整線用の合成樹脂製のクランプ８を設けたものにおけるものである。
【００３０】
下部側の光アダプタ４1に脱着頻度の少ないあるいは脱着不要な（以下単に「脱着頻度の少ない」と記載する）光ファイバコード９1（図３）を光コネクタ接続し、それより上側の光アダプタ４に脱着頻度の多い光ファイバコード９（図３）を光コネクタ接続し、それと共に、棚板６の上側に配線保護用の金属製のカバー２を設け、棚板６とカバー２との間に、脱着頻度の少ない光ファイバコード９1を配線し、カバー２の上側に脱着頻度の多い光ファイバコード９を配線している。
【００３１】
棚板６は、水平な底板部１０の前端に垂直な立ち上げ板部１１を折り曲げ形成し、底板部１０の後端に、ケース３の左右端の前壁面にねじ締め等で固定するための固定板部１２を垂直に立ち上げ形成して成るものである。立ち上げ板部１１の内側（後面側）にカバー２が収容され、立ち上げ板部１１は、前方へのカバー２の移動を規制するストッパとして作用すると共に、脱着頻度の少ない光ファイバコード９1の前方への飛び出しを防止するガイドとして作用する。
【００３２】
クランプ８は上向きコの字状に形成され、前後一対のガイド杆８ａがカバー２よりも高く突出し、前後一対のガイド杆８ａの間に、下側と上側の光ファイバコード９1，９すなわち脱着頻度の少ない光ファイバコード９1と脱着頻度の多い光ファイバコード９とがカバー２を介して共に挿通される。クランプ８の形状は適宜設定可能であり、例えば上部開口８ｃを塞ぐ水平な可撓性の上杆部（図示せず）を設けたり、クランプ８の底部の水平な杆部８ｂを棚板６の底板部１０と同一面に設けたり、あるいは排除したりすることも可能である。
【００３３】
図２の如く、カバー２は、一枚の金属板を打ち抜き及び折り曲げ加工して形成され、水平な天板部１３と、天板部１３の前端において上下に互い違いに垂直に突設された複数の幅広の突板部１４，１５と、天板部１３の後端から後方に櫛状に突出した複数本の側方視略Ｌ字状の幅狭な櫛歯部１６とで構成されている。
【００３４】
各櫛歯部１６は、長い水平板部１６ａと下向きの短い垂直板部１６ｂとで構成されている。左右端の櫛歯部１６1は他の櫛歯部１６よりも少し幅広に形成されている。下向きの突板部（足部）１５と櫛歯部１６の垂直板部（足部）１６ｂとは同じ突出高さである。各櫛歯部１６の間の隙間Ｗ1は各アダプタ４，４1（図１）Ｗ2の横幅よりも若干広く形成され、左右端を除く各櫛歯部１６の幅Ｗ3は、左右方向の各アダプタ４，４1の間の隙間Ｗ4よりも若干狭く形成され、図１の如く、各櫛歯部１６の間に各アダプタ４，４1を挟持する如くガタ付きなく保持する。
【００３５】
これにより、カバー２の左右方向の移動が阻止される。櫛歯部１６の垂直板部１６ｂは下側の各アダプタ４1の側面に上下方向の線接触で確実に当接する。櫛歯部１６の水平部１６ａは上側と下側のアダプタ４，４1の間（隙間）に位置することもある。上側と下側のアダプタ４，４1は同じ仕様のものである。
【００３６】
カバー２の下向きの突板部１５が、図３の如く棚板６の立ち上げ板部１１の内面（後面）に当接して、カバー２の前方への移動を阻止し、上向きの突板部１４は、カバー２の上側に配線された脱着頻度の多い光ファイバコード９の前方への飛び出しを防ぐストッパ兼ガイドとして作用する。下向きの突板部１５の下端と櫛歯部１６の垂直板部２６ｂの下端とが棚板６の水平な底板部１０の上面に当接して、カバー２を安定に支持する。
【００３７】
下向きの各突板部１５の高さは、脱着頻度の少ない光ファイバコード９1に対応する光アダプタ４1の使用段数や、棚板６の立ち上げ板部１１の高さ等に応じて適宜設定され、上向きの各突板部１４の高さは、脱着頻度の多い光ファイバコード９の本数等に応じて適宜設定される。棚板６の立ち上げ板部１１の高さは、脱着頻度の少ない光ファイバコード９1に対応する光アダプタ４1の使用段数等に応じて適宜設定される。
【００３８】
本例では、図１，図３の如く、下から一段目（最下段）と二段目の各光アダプタ４1に脱着頻度の少ない光ファイバコード９1が接続され、下から三段目から最上段の各光アダプタ４に脱着頻度の多い光ファイバコード９が接続されている。
【００３９】
図１の如く、カバー２の天板部１３が棚板６の左右端のクランプ８の内側（間）に位置し、天板部１３の左右両端がクランプ８の内側面に近接している。天板部１３の左右端をクランプ８の内側面に当接させれば、櫛歯部１６によるカバー２の左右方向の位置ずれ防止性を一層高めることはできる。実使用上は、櫛歯部１６によるカバー２の左右方向の移動阻止のみで十分である。
【００４０】
左右端の櫛歯部１６1の垂直板部１６ｂを光アダプタパネル５の左右端側の垂直壁面１７に当接させれば、前側の下向きの突板部１５と共にカバー２の前後方向の移動（ガタ付き）を阻止可能である。本例においては、カバー２のねじ締め等の固定手段はあえて設けていない。カバー２の浮き上がりは、カバー２の天板部１３の上面に上側の脱着頻度の多い光ファイバコード９（図３）が載ることで防止される。
【００４１】
図３の如く、下から一段目と二段目のアダプタ４1に脱着頻度の少ない各光ファイバコード９1が接続されて、各光ファイバコード９1が左右端のクランプ８（図１）に挿通案内された状態で、カバー２が棚板６に装着される。図１のカバー２の各櫛歯部１６の間でアダプタ４の前側に位置する開口１８は、例えば下側のアダプタ４1に脱着頻度の少ない光ファイバコード９1が接続されているか否かを目視する際に役立つ。
【００４２】
図３において、カバー２の上側の脱着頻度の多い各光ファイバコード９は左右に曲げられて左右端のクランプ８（図１）に挿通案内される。図１の如く、カバー２には、各クランプ８の近傍と中央とにおいて前後一対の孔部１９が設けられており、孔部１９にバンド等（図示せず）を挿通して上下の各光ファイバコード９，９1を同時に結束することができる。ケース３は、左右両側壁２０の前端に設けた鍔部２１で複数段のフレーム（図示せず）の適宜位置に停止固定される。
【００４３】
図３の如く、各光ファイバコード９，９1は先端側のフェルールを有する光コネクタ２２で各アダプタ４，４1の前半部に嵌合し、係止アーム等の係止手段で固定されている。各アダプタ４，４1の後半部には、ケース３内の各光ファイバコード（図示せず）が例えばフェルールを有する光コネクタ（図示せず）で嵌合し、係止アーム等の係止手段で固定されて、前半側の光コネクタ２２に光接続される。ケース３内の各光ファイバコードを光コネクタ以外の手段で光アダプタ４，４1に固定することも可能であり、光アダプタ４，４1における前後の各光ファイバコード９，９1の接続手段や係止手段は適宜設定可能である。
【００４４】
前側（ケース外側）の光ファイバコード９，９1が、例えばインタネットのような任意加入サービスの切換え、契約及びその解除に伴う脱着を行う光ファイバコードである。例えばテレビのような全加入サービス用の光ファイバコード９1がカバー２の下側に隠されて（覆われて）安全に保護され、カバー２の上側の任意加入サービス用の光ファイバコード９の脱着時に、カバー下側の全加入サービス用の光ファイバコード９1を誤って脱抜したり、全加入サービス用の光ファイバコード９1の光コネクタ２２に外部から衝撃等を与えたりする心配がない。
【００４５】
図４〜図６は、本発明に係る光スプライスユニットの他の実施形態（変形例）を示すものである。上記図１〜図３の光スプライスユニット１と同様の構成部分には同じ符号を付して詳細な説明を省略する。
【００４６】
この光スプライスユニット１’は、基本的に図１〜図３の光スプライスユニット１と同様であるが、棚板６へのカバー２’の固定手段を設けると共に、クランプ８の近傍でカバー２’の両側に切欠部２３を設けた点で相違している。
【００４７】
図４の如く、カバー２’の前端に、横長の突板部１４’が立ち上げ形成されると共に、突板部１４’の左右両側において一対の短い下向きの突板部１５’が形成され、上向きの突板部１４’はカバー上側の脱着頻度の多い光ファイバコード９（図６）に対するガイドとして作用し、下向きの各突板部１５’に雄ねじ挿通用の孔（図示せず）が設けられ、孔に雄ねじ２４を挿通して、棚板６の前端の上向きの立ち上げ板部１１のタップ孔又は孔の後方のナット（図示せず）に螺合させて、上記固定手段を構成している。
【００４８】
カバー２’にコード案内用の下向きの突板部１５（図２）はなく、棚板６の前端の立ち上げ板部１１がカバー下側の脱着頻度の多い光ファイバコード９1をガイドする。カバー２’の後半の各櫛歯部１６は、前例同様に各光アダプタ４，４1を挟むように各光アダプタ４，４1の側面に接して位置決めされている。図４，図５の如く、各櫛歯部１６は左右方向の各光アダプタ４，４1の間の隙間に奥深く入り込み、カバー下側の光アダプタ４1から導出された脱着頻度の少ない光ファイバコード９1を確実に保護している。
【００４９】
図３の例ではカバー２は棚板６から上向きに取り外されるが、図６の例では、カバー２’の前端のねじ２４を外して、カバー２’を前方にスライドさせることで、カバー上側の脱着頻度の多い多数本の光ファイバコード９に邪魔されることなく、カバー２’をスムーズに取り外すことができる。これにより、カバー下側の脱着頻度の少ない少数本の光ファイバコード９1のメンテナンス等を簡単に行うことができる。
【００５０】
図４，図５の如く、カバー２’の左右両側の切欠部２３は棚板上の左右端のクランプ８に対向して位置し、カバー前端の下向きの突板部１５’の側端に続く前側の直線部２３ａと後側の湾曲部２３ｂとで構成され、湾曲部２３ｂが後半側の左右端の櫛歯部１６1に続いている。
【００５１】
切欠部２３によって、カバー２’の側端からクランプ８までの距離Ｌ（図５）が長くなり、カバー上側の脱着頻度の多い光ファイバコード９（図６）をカバー２’の上面からクランプ８の底部８ｃ側まで案内する際に、カバー２’の側端から光ファイバコード９が緩やかな角度で屈曲され、光ファイバコード９に作用する曲げ応力が小さくて済み、光ファイバコード９の許容曲げ仕様を十分に満足させることができると共に、クランプ９で光ファイバコード９を押さえた際のキンク（捩れ等）の発生も防止することができる。また、カバー２’を前方にスライドさせて外す際に、切欠部２３に沿って光ファイバコード９をスムーズに摺接させて、光ファイバコード９の引っ掛かり等を防止することができる。
【００５２】
図４の如く、ケース３は、光アダプタパネル５を前端側に起立させたケース本体３ａと、ケース本体３ａの上部開口を覆うカバー部３ｂ（図１）とで開閉可能に構成されており、ケース本体３ａの左右端の垂直な鍔部２５に棚板６がねじ締めで固定されている。ケース本体内に内側の各光ファイバケーブル（図示せず）がリール巻き等で余長吸収されつつ収容される。
【００５３】
図５の如く、光アダプタパネル５は縦断面略Ｌ字状（上端の短い水平部２６を含めると略コの字状）に形成され、底部側の水平部２７がケース本体３ａの底板部７に固定されている。図４の如く、上端の水平部２６から垂直部２８の底端にかけてスリット状の縦長孔２９が複数列に設けられ、各縦長孔２９に複数段に光アダプタ４，４1が装着されている。図５の如く、カバー２’の櫛歯部１６の後端の垂直部１６ｂは光アダプタパネル５の垂直部２８の前面に少しの隙間を存して対向している。
【００５４】
なお、上記実施形態においては、カバー上側の光ファイバケーブル９とカバー下側の光ファイバケーブル９1とでクランプ８を共通使用して構造の簡素化を図っているが、カバー２，２’にクランプ（図示せず）を立設し、カバー２，２’のクランプでカバー上側の光ファイバケーブル９を集束し、棚板６のクランプ８でカバー下側の光ファイバケーブル９1を集束することも可能である。
【００５５】
また、上記実施形態においては、棚板６の左右両側にクランプ８を配置したが、各光ファイバコード９，９1の導出方向が一方向である場合には、棚板６の左右何れかにクランプ８を配置する。
【００５６】
また、上記図４の実施形態においては、棚板６の前端の立ち上げ部１１で下側の光ファイバコード９1をガイドしたが、例えば、図４において、立ち上げ部１１を排除し、カバー２’の前端に図２の例のような上下の垂直な突板部１４，１５を設け、下向きの突板部１５の一部に水平部（図示せず）を設け、その水平部を棚板６の水平部１０にねじ等で固定し、下向きの突板部１５で下側の光ファイバコード９1をガイドすることも可能である。
【図面の簡単な説明】
【００５７】
【図１】本発明に係る光スプライスユニットの一実施形態を示す斜視図である。
【図２】光スプライスユニットに装着されるカバーの一形態を示す斜視図である。
【図３】光ファイバコードを接続した光スプライスユニットを示す側面図である。
【図４】本発明に係る光スプライスユニットの他の実施形態を示す斜視図である。
【図５】同じく光スプライスユニットを示す平面図である。
【図６】光ファイバコードを接続した光スプライスユニットを示す側面図である。
【図７】従来の光スプライスユニットの一形態を示す斜視図（円内は要部拡大図）である。
【符号の説明】
【００５８】
１，１’        光スプライスユニット
２，２’        カバー
３              ケース
４，４1         光アダプタ
５              光アダプタパネル
６              棚板
８              クランプ
９，９1         光ファイバコード
１１            立ち上げ部
１４，１５      突板部
１４’，１５’  突板部
１６            櫛歯部
１６ｂ          垂直部（足部）
２３            切欠部
２４            雄ねじ
【図１】
2010091695.tif 000003
【図２】
2010091695.tif 000004
【図３】
2010091695.tif 000005
【図４】
2010091695.tif 000006
【図５】
2010091695.tif 000007
【図６】
2010091695.tif 000008
【図７】
2010091695.tif 000009